(57)【特許請求の範囲】
【請求項１】
テンションメンバー、複数の多心光ファイバテープ心線およびこれらを覆うシースとからなる光ケーブル本体と、この光ケーブル本体の端部より保護管で保護されるように突出させた該光ケーブル本体のテンションメンバーと一体の突出テンションメンバーと、前記光ケーブル本体の端部より接続用に突出させた該光ケーブル本体の複数の多心光ファイバテープ心線と一体の複数の接続用の多心光ファイバテープ心線と、この複数の接続用の多心光ファイバテープ心線を前記突出テンションメンバー部位で光ファイバ素線に分岐して保護材で覆う分岐部位を分散する部位で分岐させた分散分岐部と、この分散分岐部を覆うように取付けられた両端部が前記突出テンションメンバーの両端部に位置する保護菅とからなり、前記分散分岐部は前記突出テンションメンバー上の所定の部位で分岐させた第１の分岐部と、この第１の分岐部とは前記突出テンションメンバー上の異なる位置で分岐させた第２の分岐部を有しており、この第２の分岐部で分岐された光ファイバ素線は前記突出テンションメンバーの先端よりの部位に第１の固定具で固定され、前記第１の分岐部で分岐された光ファイバ素線は前記第１の固定具で固定された部位に第２の固定具で固定されていることを特徴とする光ケーブル。
【請求項２】
テンションメンバー、複数本の光ファイバ素線、これらの光ファイバ素線を覆うシースとからなる光ケーブル本体と、この光ケーブル本体の端部より突出させた複数本の光ファイバ素線にそれぞれ接続された多数本の光ファイバ素線に分岐接続させる複数個の光ファイバ分岐具と、この複数個の光ファイバ分岐具にそれぞれ複数本接続された多数本の光ファイバ素線と、前記複数個の光ファイバ分岐具を覆うように一端部が光ケーブル本体の端部に位置し、他端部が前記多数本の光ファイバ素線の端部に位置する保護管とからなる光ケーブルにおいて、前記複数個の光ファイバ分岐具は前記テンションメンバー上の所定の部位で分岐させた第１の分岐部と、この第１の分岐部とは前記テンションメンバー上の異なる位置で分岐させた第２の分岐部を有しており、この第２の分岐部で分岐された光ファイバ素線は前記テンションメンバーの先端よりの部位に第１の固定具で固定され、前記第１の分岐部で分岐された光ファイバ素線は前記第１の固定具で固定された部位に第２の固定具で固定されていることを特徴とする光ケーブル。
【発明の詳細な説明】
【０００１】
【発明の属する技術分野】
本発明は光ケーブルに関する。
【０００２】
【従来の技術】
従来、図３９ないし図４１に示すようにテンションメンバーＡと複数の多心光ファイバテープ心線ＢとをシースＣで覆った光ケーブルＤの接続部Ｅは、光ケーブルＤの端部のシースＣを除去し、複数の多心光ファイバテープ心線Ｂをそれぞれ光ファイバ素線Ｆに分岐し、該分岐部Ｇをそれぞれ熱収縮チューブ等の保護材で覆い、その外周部を保護管Ｈで覆い保護している。
【０００３】
【発明が解決しようとする課題】
従来の光ケーブルは接続部の複数の多心光ファイバ心線をそれぞれ光ファイバ素線に分岐する部位を保護材や保護管で覆って保護しているので、該部位が大きくなり、図３９に示すように架に実装するときには多数本のケーブル同志が干渉し、細心の注意を払って実装しても保護管単体での落下、引っ張り力、圧縮力や曲げによる、光ファイバ素線に対して悪影響を及ぼすという欠点があった。
また、架に布設する時間もかかっていた。
【０００４】
本発明は以上のような従来の欠点に鑑み、複数の多心光ファイバ心線をそれぞれ光ファイバ素線に分岐する部位が大きくなるのを防止し、光ファイバ素線に引張りや曲げが加わるのを効率よく阻止することができる光ケーブルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はテンションメンバー、複数の多心光ファイバテープ心線およびこれらを覆うシースとからなる光ケーブル本体と、この光ケーブル本体の端部より保護管で保護されるように突出させた該光ケーブル本体のテンションメンバーと一体の突出テンションメンバーと、前記光ケーブル本体の端部より接続用に突出させた該光ケーブル本体の複数の多心光ファイバテープ心線と一体の複数の接続用の多心光ファイバテープ心線と、この複数の接続用の多心光ファイバテープ心線を前記突出テンションメンバー部位で光ファイバ素線に分岐して保護材で覆う分岐部位を分散する部位で分岐させた分散分岐部と、この分散分岐部を覆うように取付けられた両端部が前記突出テンションメンバーの両端部に位置する保護菅とからなり、前記分散分岐部は前記突出テンションメンバー上の所定の部位で分岐させた第１の分岐部と、この第１の分岐部とは前記突出テンションメンバー上の異なる位置で分岐させた第２の分岐部を有しており、この第２の分岐部で分岐された光ファイバ素線は前記突出テンションメンバーの先端よりの部位に第１の固定具で固定され、前記第１の分岐部で分岐された光ファイバ素線は前記第１の固定具で固定された部位に第２の固定具で固定して光ケーブルを構成している。
【０００７】
また、本発明はテンションメンバー、複数本の光ファイバ素線、これらの光ファイバ素線を覆うシースとからなる光ケーブル本体と、この光ケーブル本体の端部より突出させた複数本の光ファイバ素線にそれぞれ接続された多数本の光ファイバ素線に分岐接続させる複数個の光ファイバ分岐具と、この複数個の光ファイバ分岐具にそれぞれ複数本接続された多数本の光ファイバ素線と、前記複数個の光ファイバ分岐具を覆うように一端部が光ケーブル本体の端部に位置し、他端部が前記多数本の光ファイバ素線の端部に位置する保護管とからなる光ケーブルにおいて、前記複数個の光ファイバ分岐具は前記テンションメンバー上の所定の部位で分岐させた第１の分岐部と、この第１の分岐部とは前記テンションメンバー上の異なる位置で分岐させた第２の分岐部を有しており、この第２の分岐部で分岐された光ファイバ素線は前記テンションメンバーの先端よりの部位に第１の固定具で固定され、前記第１の分岐部で分岐された光ファイバ素線は前記第１の固定具で固定された部位に第２の固定具で固定して光ケーブルを構成している。
【０００８】
【発明の実施の形態】
以下、図面に示す実施の形態により、本発明を詳細に説明する。
【０００９】
図１ないし図１３に示す本発明の第１の実施の形態において、１は図１に示すように架に実装される光ケーブル本体で、この光ケーブル本体１は図３に示すように中心部に位置するテンションメンバー２と、このテンションメンバー２の外周部に配置された複数、本発明の実施の形態では８個の多心光ファイバテープ心線３、３ａ、３ｂ、３ｃ、３ｄ、３ｅ、３ｆ、３ｇと、この８個の多心光ファイバテープ心線３、３ａ、３ｂ、３ｃ、３ｄ、３ｅ、３ｆ、３ｇを前記テンションメンバー２に固定するように巻き付け固定された、不織布等を用いた押えテープ４と、この押えテープ４の外周部を覆い、引裂紐５で引き裂くことができるように形成された難燃性のポリエチレン等を用いたシース６とで構成されている。
【００１０】
７は図５に示すように、前記光ケーブル本体１の端部より保護管８で保護されるように突出させた突出テンションメンバーで、この突出テンションメンバー７は前記光ケーブル本体１のテンションメンバー２と一体に形成されている。
【００１１】
９、９ａ、９ｂ、９ｃ、９ｄ、９ｅ、９ｆ、９ｇは図６に示すように、前記光ケーブル本体１の端部より接続用に突出させた接続用多心光ファイバテープ心線で、この接続用多心光ファイバテープ心線９、９ａ、９ｂ、９ｃ、９ｄ、９ｅ、９ｆ、９ｇは前記光ケーブル本体１の多心光ファイバテープ心線３、３ａ、３ｂ、３ｃ、３ｄ、３ｅ、３ｆ、３ｇと一体に形成されている。
【００１２】
１０、１０ａ、１０ｂ、１０ｃは図７に示すように、前記接続用多心光ファイバテープ心線９、９ａ、９ｂ、９ｃ、９ｄ、９ｅ、９ｆ、９ｇのうちの奇数位置の接続用多心光ファイバテープ心線９、９ｂ、９ｄ、９ｆを前記突出テンションメンバー７の根元部寄りである前記光ケーブル本体１寄りの部位でそれぞれ光ファイバ素線１１、１１、１１、１１に分岐させ、保護テープや熱収縮チューブ等の保護材１２でそれぞれ覆った第１の分岐部である。
【００１３】
１３、１３ａ、１３ｂ、１３ｃは図８に示すように、前記接続用多心光ファイバテープ心線９、９ａ、９ｂ、９ｃ、９ｄ、９ｅ、９ｆ、９ｇのうちの偶数位置の接続用多心光ファイバテープ心線９ａ、９ｃ、９ｅ、９ｇを前記突出テンションメンバー７の中央部寄りの部位でそれぞれ光ファイバ素線１１、１１、１１、１１に分岐させ、保護テープや熱収縮チューブ等の保護材１２でそれぞれ覆った第２の分岐部である。
【００１４】
１４、１４ａ、１４ｂ、１４ｃは図９に示すように、前記第１の分岐部１０、１０ａ、１０ｂ、１０ｃで分岐された光ファイバ素線１１、１１、１１、１１を接続用多心光ファイバテープ心線９、９ｂ、９ｄ、９ｆの単位となるように前記突出テンションメンバー７部位で覆ったスパイラルチューブや接着性の紐やテープを用いた第１の粗巻き材である。
【００１５】
１５、１５ａ、１５ｂ、１５ｃは図１０に示すように、前記第２の分岐部１３、１３ａ、１３ｂ、１３ｃで分岐された光ファイバ素線１１、１１、１１、１１を接続用多心光ファイバテープ心線９ａ、９ｃ、９ｅ、９ｇの単位となるように前記突出テンションメンバー７部位で覆ったスパイラルチューブや接着性の紐やテープを用いた第２の粗巻き材である。
【００１６】
１６は図１１に示すように、前記第２の分岐部１３、１３ａ、１３ｂ、１３ｃで分岐され、第２の粗巻き材１５、１５ａ、１５ｂ、１５ｃで覆われた部位を前記突出テンションメンバー７の先端部寄りの部位に摩擦性テープ１７を巻き付けた上に押し付け固定する紐やテープを用いた第１の固定具である。
【００１７】
１８は図１２に示すように、前記第１の固定具１６で固定された部位に前記第１の分岐部１０、１０ａ、１０ｂ、１０ｃで分岐され、第１の粗巻き材１４、１４ａ、１４ｂ、１４ｃで覆われた部位を押し付け固定するスパイラルチューブや接着性の紐やテープ等の組み合わせにより、より強固に固定された第２の固定具である。
【００１８】
前記保護管８は図１３に示すように、一端部が前記光ケーブル本体１の端部に取り付けられた結束バンド２３、２３を覆うように取付けられ、他端が前記突出テンションメンバー７の先端部寄りの外周部を覆うように取付けられている。
【００１９】
上記構成の光ケーブル１９は、接続用多心光ファイバテープ心線９、９ａ、９ｂ、９ｃ、９ｄ、９ｅ、９ｆ、９ｇを光ファイバ素線１１、１１、１１、１１にそれぞれ分岐する分岐部を、位置が分散する第１の分岐部１０、１０ａ、１０ｂ、１０ｃと、第２の分岐部１３、１３ａ、１３ｂ、１３ｃとに形成されているため、太くならず、光ファイバ素線１１に引張りや曲げが加わるのを効率よく阻止することができるように図１に示すように架に実装することができる。
【００２０】
なお、本発明の光ケーブル１９は光ケーブル本体１の端部のシース６を所定寸法に除去してから形成してもよく、また、多心光ファイバテープ心線の端部寄りの部位に第１の分岐部１０、１０ａ、１０ｂ、１０ｃや第２の分岐部１３、１３ａ、１３ｂ、１３ｃを形成したものを用いてシース６で覆って形成してもよい。
【００２１】
【発明の異なる実施の形態】
次に、図１４ないし図３８に示す本発明の異なる実施の形態につき説明する。なお、これらの本発明の異なる実施の形態の説明に当って、前記本発明の第１の実施の形態と同一構成部分には同一符号を付して重複する説明を省略する。
【００２２】
図１４ないし図１６に示す本発明の第２の実施の形態において、前記本発明の第１の実施の形態と主に異なる点は、テンションメンバー２の外周部に複数、本発明の実施の形態では４個の多心光ファイバテープ心線３、３ａ、３ｂ、３ｃと少なくとも１本以上のダミーコード２０を配置してシース６で覆った光ケーブル本体１Ａを用いた点で、このように形成された光ケーブル本体１Ａを用いた光ケーブル１９Ａにしても、前記本発明の第１の実施の形態と同様な作用効果が得られる。
【００２３】
図１７ないし図１９に示す本発明の第３の実施の形態において、前記本発明の第１の実施の形態と主に異なる点は、複数の、本発明の実施の形態では１５個の多心光ファイバテープ心線３、３ａ〜３ｎをテンションメンバー２の外周部に５個配置して押えテープ４で巻き付け固定した後、その外周部に１０個の多心光ファイバテープ心線３ｅ〜３ｎを配置して押えテープ４で巻き付け固定した光ケーブル本体１Ｂを用いた点で、このように形成された光ケーブル本体１Ｂを用いて光ケーブル１９Ｂを構成しても、前記本発明の第１の実施の形態と同様な作用効果が得られる。
【００２４】
なお、本発明の実施の形態では内側に配置した５個の多心光ファイバテープ心線３、３ａ〜３ｄと一体に形成された接続用多心光ファイバテープ心線９、９ａ〜９ｄに第２の分岐部１３、１３ａ〜１３ｄを形成し、外側に配置した１０個の多心光ファイバテープ心線３ｅ〜３ｎと一体に形成された接続用多心光ファイバテープ心線９ｅ〜９ｎに第１の分岐部１０、１０ａ〜１０ｉを形成してもよい。  また、外側に配置した１０個の多心光ファイバテープ心線を２箇所以上の異なる部位となる位置に分岐部を形成してもよい。
【００２５】
図２０ないし図２２に示す本発明の第４の実施の形態において、前記本発明の第３の実施の形態と主に異なる点は、内側に１０個の多心光ファイバテープ心線３、３ａ〜３ｉを配置するとともに、その外側に１０個の多心光ファイバテープ心線３ｊ〜３ｓと５個のダミーコード２０を配置した光ケーブル本体１Ｃを用いた点で、このように形成された光ケーブル本体１Ｃを用いた光ケーブル１９Ｃにしてもよい。
【００２６】
図２３ないし図２５に示す本発明の第５の実施の形態において、前記本発明の第１の実施の形態と主に異なる点は、保護管８内にモールド樹脂材２１を充填して固定した点で、このように構成した光ケーブル１９Ｄは保護管８部で確実に固定され、光ファイバ素線に外力が加わるのを阻止することができる。
【００２７】
図２６ないし図２８に示す本発明の第６の実施の形態において、前記本発明の第１の実施の形態と主に異なる点は、テープスロット型の光ケーブル本体１Ｄを用いた点で、このようなテープスロット型の光ケーブル本体１Ｄを用いた光ケーブル１９Ｅにしてもよい。
【００２８】
図２９ないし図３１に示す本発明の第７の実施の形態において、前記本発明の第１の実施の形態と主に異なる点は、テンションメンバー２の側面に複数の多心光ファイバテープ心線３、３ａ〜を配置した光ケーブル本体１Ｅを用いた点で、このような光ケーブル本体１Ｅを用いて構成した光ケーブル１９Ｆにしても前記本発明の第１の実施の形態と同様な作用効果が得られる。
【００２９】
図３２ないし図３５に示す本発明の第８の実施の形態において、前記本発明の第１の実施の形態と主に異なる点は、多心光ファイバテープ心線を用いた光ケーブル本体１Ｆの端部より突出させた複数本の光ファイバ素線１１、１１、１１、１１にそれぞれ接続された多数本の分岐光ファイバ素線１１ａ、１１ａ、１１ａ、１１ａに分岐接続させる複数個の導波路型カプラ、溶融型カプラ等の既存の光ファイバ分岐具２２、２２、２２、２２を分散する部位に配置させるとともに、該複数個の光ファイバ分岐具２２、２２、２２、２２を覆うように一端部が光ケーブル本体１Ｆの端部に位置し、他端部が前記多数本の分岐光ファイバ素線１１ａ、１１ａ、１１ａ、１１ａの端部に位置する保護管８で覆った点で、このように構成した光ケーブル１９Ｇにしても前記本発明の第１の実施の形態と同様な作用効果が得られる。
【００３０】
図３６ないし図３８に示す本発明の第９の実施の形態において、前記本発明の第８の実施の形態と主に異なる点は、多心光ファイバ心線を用いた光ケーブル本体１Ｇを使用し、この光ケーブル本体１Ｇより突出させた突出テンションメンバー７部位に複数個の光ファイバ分岐具２２、２２、２２、２２を分散配置させた点で、このように構成した光ケーブル１９Ｈにしても前記本発明の第８の実施の形態と同様な作用効果が得られる。
【００３１】
【発明の効果】
以上の説明から明らかなように、本発明にあっては次に列挙する効果が得られる。
【００３２】
（１）    テンションメンバー、複数の多心光ファイバテープ心線およびこれらを覆うシースとからなる光ケーブル本体と、この光ケーブル本体の端部より保護管で保護されるように突出させた該光ケーブル本体のテンションメンバーと一体の突出テンションメンバーと、前記光ケーブル本体の端部より接続用に突出させた該光ケーブル本体の複数の多心光ファイバテープ心線と一体の複数の接続用の多心光ファイバテープ心線と、この複数の接続用の多心光ファイバテープ心線を前記突出テンションメンバー部位で光ファイバ素線に分岐して保護材で覆う分岐部位を分散する部位で分岐させた分散分岐部と、この分散分岐部を覆うように取付けられた両端部が前記突出テンションメンバーの両端部に位置する保護菅とからなり、前記分散分岐部は前記突出テンションメンバー上の所定の部位で分岐させた第１の分岐部と、この第１の分岐部とは前記突出テンションメンバー上の異なる位置で分岐させた第２の分岐部を有しており、この第２の分岐部で分岐された光ファイバ素線は前記突出テンションメンバーの先端よりの部位に第１の固定具で固定され、前記第１の分岐部で分岐された光ファイバ素線は前記第１の固定具で固定された部位に第２の固定具で固定しているので、複数の接続用多心光ファイバテープ心線の光ファイバ素線に分岐する部位を分散する部位で分岐される。
したがって、大きくならず、光ファイバ素線に悪影響を及ぼす引張りや圧縮や曲げ等の力が加わるのを効率よく阻止して実装することができる。
【００３３】
（２）前記（１）によって、複数の接続用多心光ファイバテープ心線の光ファイバ素線に分岐する部位を分散させているので、分岐作業が容易で、楽に行なうことができる。
【００３４】
（３）前記（１）によって、分岐部が大きくならないので、高密度配線を行なうことができる。
【００３５】
（４）請求項２も前記（１）〜（３）と同様な効果が得られる。
【図面の簡単な説明】
【図１】本発明の第１の実施の形態の取付状態の説明図。
【図２】本発明の第１の実施の形態の説明図。
【図３】本発明の第１の実施の形態の要部拡大断面図。
【図４】図２の４−４線に沿う拡大断面図。
【図５】突出テンションメンバーの説明図。
【図６】接続用多心光ファイバテープ心線の説明図。
【図７】第１の分岐部の説明図。
【図８】第２の分岐部の説明図。
【図９】第１の粗巻き材の取付け状態の説明図。
【図１０】第２の粗巻き材の取付け状態の説明図。
【図１１】第１の固定具の取付け状態の説明図。
【図１２】第２の固定具の取付け状態の説明図。
【図１３】保護管の取付け状態の説明図。
【図１４】本発明の第２の実施の形態の説明図。
【図１５】本発明の第２の実施の形態の要部拡大断面図。
【図１６】図１４の１６−１６線に沿う拡大断面図。
【図１７】本発明の第３の実施の形態の説明図。
【図１８】本発明の第３の実施の形態の要部拡大断面図。
【図１９】図１７の１９−１９線に沿う拡大断面図。
【図２０】本発明の第４の実施の形態の説明図。
【図２１】本発明の第４の実施の形態の要部拡大断面図。
【図２２】図２０の２２−２２線に沿う拡大断面図。
【図２３】本発明の第５の実施の形態の説明図。
【図２４】本発明の第５の実施の形態の要部拡大断面図。
【図２５】図２３の２５−２５線に沿う拡大断面図。
【図２６】本発明の第６の実施の形態の説明図。
【図２７】本発明の第６の実施の形態の要部拡大断面図。
【図２８】図２６の２８−２８線に沿う拡大断面図。
【図２９】本発明の第７の実施の形態の説明図。
【図３０】本発明の第７の実施の形態の要部拡大断面図。
【図３１】本発明の第７の実施の形態の横拡大断面図。
【図３２】本発明の第８の実施の形態の説明図。
【図３３】本発明の第８の実施の形態の要部拡大断面図。
【図３４】図３２の３４−３４線に沿う拡大断面図。
【図３５】本発明の第８の実施の形態の光ファイバ分岐具の取り付け説明図。
【図３６】本発明の第９の実施の形態の説明図。
【図３７】本発明の第９の実施の形態の要部拡大断面図。
【図３８】図３６の３８−３８線に沿う拡大断面図。
【図３９】従来の取付状態の説明図。
【図４０】従来の複数の多心光ファイバテープ心線の分岐状態の説明図。
【図４１】従来の光ファイバ素線に分岐させた状態の説明図。
【符号の説明】
１、１Ａ〜１Ｇ：光ケーブル本体、
２：テンションメンバー、
３、３ａ〜３ｇ：多心光ファイバテープ心線、
４：押えテープ、            ５：引裂紐、
６：シース、
７：突出テンションメンバー、
８：保護管、
９、９ａ〜９ｇ：接続用多心光ファイバテープ心線、
１０、１０ａ〜１０ｃ：第１の分岐部、
１１：光ファイバ素線、      １２：保護材、
１３、１３ａ〜１３ｃ：第２の分岐部、
１４、１４ａ〜１４ｃ：第１の粗巻き材、
１５、１５ａ〜１５ｃ：第２の粗巻き材、
１６：第１の固定具、        １７：摩擦性テープ、
１８：第２の固定具、
１９、１９Ａ〜１９Ｈ：光ケーブル、
２０：ダミーコード、        ２１：モールド樹脂材、
２２：光ファイバ分岐具、
２３：結束バンド。
【図１】
0003990489.tif 000002
【図２】
0003990489.tif 000003
【図３】
0003990489.tif 000004
【図４】
0003990489.tif 000005
【図５】
0003990489.tif 000006
【図６】
0003990489.tif 000007
【図７】
0003990489.tif 000008
【図８】
0003990489.tif 000009
【図９】
0003990489.tif 000010
【図１０】
0003990489.tif 000011
【図１１】
0003990489.tif 000012
【図１２】
0003990489.tif 000013
【図１３】
0003990489.tif 000014
【図１４】
0003990489.tif 000015
【図１５】
0003990489.tif 000016
【図１６】
0003990489.tif 000017
【図１７】
0003990489.tif 000018
【図１８】
0003990489.tif 000019
【図１９】
0003990489.tif 000020
【図２０】
0003990489.tif 000021
【図２１】
0003990489.tif 000022
【図２２】
0003990489.tif 000023
【図２３】
0003990489.tif 000024
【図２４】
0003990489.tif 000025
【図２５】
0003990489.tif 000026
【図２６】
0003990489.tif 000027
【図２７】
0003990489.tif 000028
【図２８】
0003990489.tif 000029
【図２９】
0003990489.tif 000030
【図３０】
0003990489.tif 000031
【図３１】
0003990489.tif 000032
【図３２】
0003990489.tif 000033
【図３３】
0003990489.tif 000034
【図３４】
0003990489.tif 000035
【図３５】
0003990489.tif 000036
【図３６】
0003990489.tif 000037
【図３７】
0003990489.tif 000038
【図３８】
0003990489.tif 000039
【図３９】
0003990489.tif 000040
【図４０】
0003990489.tif 000041
【図４１】
0003990489.tif 000042